(57)【要約】      （修正有）【課題】省スペース的に動力の投入を図りつつ、根鉢の周囲の根切りが簡易であるとともに、その周囲の掘り下げが簡易となる樹木移植用溝切り機を提供する。【解決手段】一対の取手３を有する２輪の台車２に動力部８を搭載し、該動力部８の動力を該２輪のタイヤ１より前方で台車２に回動自在に軸支したカッター６に伝達し、該カッターの切込みを位置決め手段で規制する。また、前記位置決め手段は、台車２の突端でカッター６の延長上及び/又は所要位置でのキャスター９から成る。【選択図】図４
2009131195.tif 000002
【特許請求の範囲】
【請求項１】
一対の取手を有する２輪の台車に動力部を搭載し、該動力部の動力を該２輪より前方で台車に回動自在に軸支したカッターに伝達し、該カッターの切込みを位置決め手段で規制して成る樹木移植用溝切り機。
【請求項２】
前記位置決め手段が、台車の突端でカッターの延長上及び/又は所要位置に設けられたキャスターから成る請求項１記載の樹木移植用溝切り機。
【発明の詳細な説明】
【技術分野】
【０００１】
本発明は、樹木の移植の分野に属する。
【背景技術】
【０００２】
従来から樹木の移植に際し根鉢の確保には種々の技術が提案されている。大掛かりな移植装置、例えば実開平２−９３９４８号公報（特許文献１）に開示された技術ではブルドーザー等の作業機の入る広いスペースが必要である上、コスト高となる。また、手作業で根回しする技術として特開平１１−２４３７９４号公報（特許文献２）に提案されている移植方法では根鉢の形成に多くの労力を要する。
【特許文献１】実開平２−９３９４８号公報
【特許文献２】特開平１１−２４３７９４号公報
【発明の開示】
【発明が解決しようとする課題】
【０００３】
本発明は上記に鑑みて、省スペース的に動力の投入を図りつつ、根鉢の周囲の根切りが簡易であるとともに、その周囲の掘り下げが簡易となる樹木移植用溝切り機を提供しようとする。
【課題を解決するための手段】
【０００４】
本発明の請求項１に記載した樹木移植用溝切り機は、一対の取手を有する２輪の台車に動力部を搭載し、該動力部の動力を該２輪より前方で台車に回動自在に軸支したカッターに伝達し、該カッターの切込みを位置決め手段で規制して成る。
請求項２に記載した発明は、請求項１に記載した樹木移植用溝切り機において、前記位置決め手段が、台車の突端でカッターの延長上及び/又は所要位置に設けられたキャスターから成る。
【発明の効果】
【０００５】
本発明の樹木移植用溝切り機によれば、簡易な手押しによる省スペース的な動力により根鉢周りの根切りが半径方向に所要幅の周回ラインでなされるから、その間の掘り下げが簡易となり、省力的に根鉢を確保できる効果がある。また、台車の先端部にカッタ−の切込みを制限する位置決め手段を設けたから、動力伝達部の地面への過剰な干渉が解消されて安全な溝切りが行われる。
【発明を実施するための最良の形態】
【０００６】
本発明における架台とエンジンを含む動力部との関係は、２輪を軸支する支軸より前方に該動力部が設けられ、動力部の自重もカッターの溝切りに関与されるものであり、取手での手押し作業が省力化され、また、カッターは丸鋸歯状のものが根切りの面で最良であり、その他厚肉歯の各種形状のものも使用に供される。また、カッターへの動力の伝達はＶプーリとＶベルトに限らず、一般的な動力伝達手段としてのスプロケットとチェーンやタイミングプーリとタイミングベルトなどで代替できる。さらに、動力伝達部の下側（台車の下方）のカバーは、万一の破損の場合を考慮して下端の蝶番を中心に二つ割で開閉自在なものとして回転軸に対して抜き挿しできる構造とする。位置決め手段としてはキャスターのほか、接地状態の面圧を緩和して地面にめり込まぬように幅広のスキー板状のものも代替される。
【実施例】
【０００７】
本発明の樹木移植用溝切り機（以下、本溝切り機とする。）Ａを実施例により説明すると、図１、図２に示すように、左右のタイヤ１を軸支した台車２の一方（左端部）に一対の取手３を取り付け、他方（右端部）で左右所要間隔に設けられる軸受部４の軸受４aに軸支された回転軸５には、図３に示すように、丸鋸歯状のカッター６と、回転軸５にＶベルト７aを介して動力を伝達するＶプーリ７とが軸着され、カッター６とタイヤ１の支軸間にエンジンを含む動力部８が搭載されて成る。
【０００８】
このようにして成る本溝切り機Ａは、図４に示すように、動力部８からの動力が動力伝達部１０のＶベルト７aによってＶプーリ７に伝達され、Ｖプーリが軸支される回転軸５と同軸のカッター６が回転し、動力部８の自重（台車の一部重量も含まれる）と取手３の引き上げ力によってカッター６は地面に切り込まれる。このとき樹木Ｔの周囲で根鉢１１を形成するライン１２は、樹木１１の根元直径Ｄに対して根鉢１１の直径は一般的に３乃至５倍であるからその範囲に設定される。
したがって、そのライン１２に沿って樹木Ｔの周囲に溝切り深さＨ（カッター６の切込み限界深さ）の溝を形成し周囲に張られた根も切られる。
ところで、溝切り深さＨの溝切りの際、動力伝達部１０のカバー１０a等の地面への過剰な接触を防止するために、台車２の突端に図４の仮想線で示すように、カッター６の延長上及び/又は所要位置に位置決め手段としてのキャスター９や幅広のスキー板状のもの（図外）が取着される。
根鉢１１の深さは一般的に樹木Ｔの根元直径Ｄの1.5乃至2.5倍であるから、前記溝切り深さＨが（1.5乃至2.5）Ｄより大であれば、ライン１２の半径方向で外側に人の入れる掘り下げ幅Ｗを隔てた外側ライン１４に沿ってカッター６で溝切りし、その掘り下げＷ間をスコップ等で掘り下げ、凹所１３の下底より根鉢１１の底に向けてスコップで掘り込み、図７に示すように、矢印方向へ樹幹を押し倒せば根鉢１１が地面から切り離される。適宜なシート（図外）で根鉢１１を包んで保護すれば移植のための根鉢１１の形成は完了する。
ところが、カッター６による一度の溝切りの溝切り深さＨが要求される根鉢１１の深さ（1.5乃至2.5）Ｄより浅い場合は、２乃至３段に分けて切込み処理されることになる。その場合の１段目の掘り下げ幅Ｗは本溝切り機Ａの全幅Ｌより所要幅広く周回する外側ライン１４の溝切りを行い、両ライン１２、１４間の土を掘り下げ除去し、次いで２段目の溝切りを行うが、このときは両壁面１５が溝切り作業を制限するから、例えば内側の壁面１５になるべく近い位置に溝切りをしたら外側ライン１４の溝切りは反転状態で壁面１５に近い位置に溝を切り、人が入れるか或いは本溝切り機Ａの機幅Ｌの入れる下に凸状の凹所１３が掘り下げられ、所要の深さが確保されたら内側の壁面１５の下端から根鉢１１の底に向けてスコップを差し込み、その周縁の土を排除し、図７に示すように、前記と同様に樹幹を矢印の方向に押し倒せば根鉢１１が土中から離れ、所要のシート（図外）で根巻きして根の周囲を保護すれば移植の準備が完了する。
なお、本溝切り機Ａは図６に示すように、機幅Ｌを極力狭くして２段、３段と掘り下げる場合の作業性を向上させるため、タイヤ１を台車２の内部に配置したものとしても提供され得る。
【産業上の利用可能性】
【０００９】
本発明の樹木移植用溝切り機によれば、安価で小回りのできる簡易な根回しで根鉢を確保できるから、一般的に広く樹木の移植に関与する業界には大いに受容されるものと確信する。
【図面の簡単な説明】
【００１０】
【図１】本発明の樹木移植用溝切り機Ａの正面図。
【図２】図１の正面図。
【図３】図１のＡ−Ａ部拡大部分説明図。
【図４】根回しにおける溝切りを示す説明図。
【図５】根回しにおける樹木Ｔの周縁に溝切りをするときの説明図。
【図６】本発明の樹木移植用溝切り機Ａの他の態様を示す平面図。
【図７】根鉢１１が確保される状態の説明図。
【符号の説明】
【００１１】
１：タイヤ
２：台車
３：取手
４：軸受部
４a：軸受
５：回転軸
６：カッター
７：Ｖプーリ
７a：Ｖベルト
８：動力部
９：キャスター
１０：動力伝達部
１１：根鉢
１２：ライン
１３：凹所
１４：外側ライン
１５：壁面
Ｄ：根元直径
Ｈ：溝切り深さ
Ｌ：機幅
Ｔ：樹木
Ｗ：掘り下げ幅
Ａ：樹木移植用溝切り機
【図１】
2009131195.tif 000003
【図２】
2009131195.tif 000004
【図３】
2009131195.tif 000005
【図４】
2009131195.tif 000006
【図５】
2009131195.tif 000007
【図６】
2009131195.tif 000008
【図７】
2009131195.tif 000009